(57)【要約】  個体に適した製品を選択する方法。前記方法は、製品カテゴリーのあらかじめ決められたセットから製品カテゴリーを特定する工程であって、各製品カテゴリーが製品のセットに関連付けられる、工程、選択された製品カテゴリーに基づいて、利用可能なカートリッジタイプのセットから遺伝子検査カートリッジタイプを選択する工程であって、各カートリッジタイプがポリヌクレオチドサンプルの遺伝子型判定プロファイリングテストを行うために構成される、工程、個体からポリヌクレオチドサンプルを集める工程、選択された遺伝子検査カートリッジタイプの遺伝子検査カートリッジを使用して、前記ポリヌクレオチドサンプルの遺伝子型判定プロファイリングテストを行う工程、および、特定された製品カテゴリー内から製品を選択するために、前記遺伝子型判定プロファイリングテストの結果を用いる工程、を含む。【選択図】図３
2014525094.tif 000002
【特許請求の範囲】
【請求項１】
個体に適した製品を選択する方法であって、
前記方法は、
・製品カテゴリーのあらかじめ決められたセットから製品カテゴリーを特定する工程であって、各製品カテゴリーが製品のセットに関連付けられる、工程、
・選択された前記製品カテゴリーに基づいて、利用可能なカートリッジタイプのセットから遺伝子検査カートリッジタイプを選択する工程であって、各カートリッジタイプがポリヌクレオチドサンプルの遺伝子型判定プロファイリングテストを行うために構成される、工程、
・個体からポリヌクレオチドサンプルを集める工程、
・選択された遺伝子検査カートリッジタイプの遺伝子検査カートリッジを使用して、前記ポリヌクレオチドサンプルの遺伝子型判定プロファイリングテストを行う工程、および、
・特定された製品カテゴリー内から製品を選択するために、前記遺伝子型判定プロファイリングテストの結果を用いる工程、を含む方法。
【請求項２】
製品を選択するために前記遺伝子型判定プロファイリングテストの結果を用いる工程は、既知の代謝可能な化合物の群から１つ以上の代謝可能な化合物を選ぶために、前記遺伝子型判定プロファイリングテストの結果を用いる工程と、その後、１つ以上の選択された代謝可能な化合物の少なくとも１つを含む特定された製品カテゴリーから製品を選択する工程を含む、ことを特徴とする請求項１に記載の方法。
【請求項３】
１つ以上の代謝可能な化合物は、個体の代謝経路に対する既知の代謝可能な化合物の有効性を決定すること、および、最も高い有効性を備えた１つ以上代謝可能な化合物を選択することによって選択される、ことを特徴とする請求項２に記載の方法。
【請求項４】
ポリヌクレオチドサンプルは、ＤＮＡ、ＲＮＡ、またはその両方の組み合わせを含む、ことを特徴とする請求項１乃至３のいずれか１つに記載の方法。
【請求項５】
前記遺伝子型判定プロファイリングテストは、１つ以上の一塩基多型検査を含む、ことを特徴とする請求項１乃至４のいずれか１つに記載の方法。
【請求項６】
前記製品は、スキンケア製品、化粧品、薬用化粧品、栄養化粧品、栄養補助食品、食品群、および農産物の１つである、ことを特徴とする請求項１乃至５のいずれか１つに記載の方法。
【請求項７】
特定された製品カテゴリー内から製品を選択するために前記遺伝子型判定プロファイリングテストの結果を用いる前記工程は、テストの結果をルックアップキーとして用いて、特定された製品カテゴリーの製品データベースでルックアップを行う工程を含む、ことを特徴とする請求項１乃至６のいずれか１つに記載の方法。
【請求項８】
製品カテゴリーを特定する前記工程は、販売時点端末のグラフィカル・ユーザー・インターフェースを用いて、販売時点端末に対する製品カテゴリーを特定する工程を含んでもよく、販売時点端末は、遺伝子検査カートリッジタイプを選択する工程と、特定された製品カテゴリー内から製品を選択するために、前記遺伝子型判定プロファイリングテストの結果を用いる工程を行い、選択は、前記グラフィカル・ユーザー・インターフェースを介して端末のユーザーに表示される、ことを特徴とする請求項１乃至７のいずれか１つに記載の方法。
【請求項９】
製品の選択後に販売時点端末から、テストの結果のすべての記録を削除する工程を含む、ことを特徴とする請求項８に記載の方法。
【請求項１０】
個体からポリヌクレオチドサンプルを集める前記工程は、個体または販売時点端末を使う販売員によって行われてもよく、個体または販売時点端末を使う販売員は、選択した型の遺伝子検査カートリッジに、集めたサンプルを適用する、ことを特徴とする請求項１乃至９のいずれか１つに記載の方法。
【請求項１１】
前記方法は店舗内で実行される、ことを特徴とする請求項１乃至１０のいずれか１つに記載の方法。
【請求項１２】
前記個体からの質問書への回答を受け取り、遺伝子検査カートリッジタイプの選択および／または製品の選択において、前記回答を使用する工程を含む、ことを特徴とする請求項１乃至１１のいずれか１つに記載の方法。
【請求項１３】
選択された遺伝子検査カートリッジタイプの前記遺伝子検査カートリッジは、関連する製品のセットの有効性を決定するように構成される、ことを特徴とする請求項１乃至１２のいずれか１つに記載の方法。
【請求項１４】
製品カテゴリーを選択する前記工程は、
個体からポリヌクレオチドサンプルを集める工程、
遺伝子型判定プロファイリングテストを行なうために遺伝子検査カートリッジを使用し、および、１つ以上の状態のそれぞれに対する個体の傾向を特定するために、遺伝子型判定プロファイリングテストの結果を用いる工程、および、
特定された傾向の任意の１つまたは組み合わせについて、関連する状態を潜在的に処置することができる製品カテゴリーを選択する工程を含む、ことを特徴とする請求項１乃至１３のいずれか１つに記載の方法。
【請求項１５】
状態の傾向の特定および／または製品カテゴリーの選択において、個体に関して得られた追加の情報、例えば、ライフスタイル情報を使用する工程を含む、ことを特徴とする請求項１４に記載の方法。
【請求項１６】
前記遺伝子検査カートリッジは、使い捨ての一回用のカートリッジである、ことを特徴とする請求項１乃至１５のいずれか１つに記載の方法。
【請求項１７】
販売時点端末であって、
前記販売時点端末は、
販売時点端末に近いまたは販売時点端末から離れたメモリーへのアクセスであって、該メモリーには、製品カテゴリーのセットと、製品カテゴリーに対してマッピングされる遺伝子検査カートリッジタイプのセットとを含む第１のデータベース、および、それぞれの製品カテゴリーについて、利用可能な製品のセットと、利用可能な製品に対してマッピングされた遺伝子型プロファイリングの一連の結果とを含む第２のデータベースに対するアクセス、
遺伝子検査カートリッジから検査結果を受け取るために、遺伝子検査カートリッジに販売時点端末を接続するためのインターフェース、
端末のユーザーから製品カテゴリーの確認を受け取るための、および、選択した製品をユーザーに表示するための、グラフィカル・ユーザー・インターフェース、および、
遺伝子検査カートリッジタイプを選択するために前記第１のデータベースをルックアップすべく製品カテゴリーの受け取られた確認を用いるための、前記インターフェースを介して検査結果を受け取るための、製品を選択するために前記第２のデータベース内のルックアップとして受け取った検査結果を用いるための、および、選択した製品をユーザーにグラフィカル・ユーザー・インターフェースで表示させるための処理エンティティ、を含む、ことを特徴とする販売時点端末。
【請求項１８】
前記販売時点端末は、前記カートリッジタイプに属する遺伝子検査カートリッジのセットを保持するためのホルダーを含む、ことを特徴とする請求項１７に記載の販売時点端末。
【請求項１９】
前記処理エンティティは、選択された前記検査カートリッジタイプの検査カートリッジを前記ホルダーから運ぶために、前記ホルダーを制御するように構成される、ことを特徴とする請求項１８に記載の販売時点端末。
【請求項２０】
前記ホルダーは、前記検査カートリッジを、それが前記インターフェースに接続される位置まで運ぶ、ことを特徴とする請求項１９に記載の販売時点端末。
【請求項２１】
処理手段は、販売時点端末が配された店舗内で入手可能な製品を反映するために、前記第２のデータベースを更新させることが可能となるように構成される、ことを特徴とする請求項１７乃至２０のいずれか１つに記載の販売時点端末。
【請求項２２】
前記メモリーは、一連の状態の傾向と、前記状態の傾向に対してマッピングされた遺伝子型プロファイリングの一連の結果を含む第３のデータベースを保存してもよく、前記処理エンティティは、遺伝子検査カートリッジから検査結果を受け取るように、および、１つ以上の状態の傾向を特定すべく前記第３のデータベースに対するルックアップとして受け取った結果を用いるように構成される、ことを特徴とする請求項１７乃至２１のいずれか１つに記載の販売時点端末。
【請求項２３】
処理エンティティは、ライフスタイル情報などの個体について得られた他のデータと組み合わせて、前記第３のデータベースに対するルックアップとして受け取った結果を用いるように構成される、ことを特徴とする請求項２２に記載の販売時点端末。
【請求項２４】
前記処理エンティティはさらに、グラフィカル・ユーザー・インターフェースを介して、状態の傾向または各状態の傾向を表示するように構成されてもよく、それによって、個体がその傾向に陥りやすい状態を処置するのに適した製品カテゴリーの前記選択を容易にする、ことを特徴とする請求項２２または２３に記載の販売時点端末。
【請求項２５】
前記メモリーは、第２のデータベースの製品中に見られる既知の代謝可能な化合物のセットを含むさらなるデータベースを保存してもよく、前記処理エンティティは、遺伝子検査カートリッジからユーザーの検査結果を受け取るように、および、ユーザーの代謝経路に関して前記の既知の代謝可能な化合物の１つ以上の有効性を測定すべく受け取った結果を用い、その後、ユーザーについて測定された代謝可能な化合物の有効性に基づいて第２のデータベースから製品を選択するように構成される、ことを特徴とする請求項１７乃至２４のいずれか１つに記載の販売時点端末。
【請求項２６】
第２のデータベース内の各製品は、スキンケア製品、化粧品、薬用化粧品、栄養化粧品、栄養補助食品、食品群、および農産物の１つである、ことを特徴とする請求項１７乃至２５のいずれか１つに記載の販売時点端末。
【請求項２７】
遺伝子検査カートリッジは使い捨ての一回用カートリッジである、ことを特徴とする請求項１７乃至２６のいずれか１つに記載の販売時点端末。
【請求項２８】
個体に適した代謝可能な製品を選択する方法であって、
前記方法は、
代謝可能な製品の代謝に関連した１つ以上の一塩基多型（ＳＮＰ）に、代謝可能な製品セットのそれぞれをマッピングするデータベースを提供する工程、
客のポリヌクレオチドにおける前記データベース内で特定された個体のＳＮＰの存在に関して標的を絞った検査を行うために、ポリヌクレオチドプローブを用いて構成されたカートリッジと一緒に販売時点端末の場所で、データベースを利用可能にする工程、および、
データベースにさらなるマッピングを周期的に加え、前記さらなるマッピングに関連するＳＮＰの存在に関して標的を絞った検査を行うために、ポリヌクレオチドプローブを用いて構成された使い捨てのカートリッジと一緒に販売時点端末の場所で、更新されたデータベースを利用可能にする工程、を含む、ことを特徴とする方法。
【請求項２９】
代謝可能な製品は、化粧品、薬用化粧品、栄養化粧品、栄養補助食品、食品群、および農産物の１つである、ことを特徴とする請求項２８に記載の方法。
【請求項３０】
カートリッジは、綿棒サンプルまたは唾液サンプルからの客のポリヌクレオチドサンプルを受け入れるように構成される、ことを特徴とする請求項２８または２９に記載の方法。
【請求項３１】
カートリッジは使い捨てのカートリッジである、ことを特徴とする請求項２８乃至３０のいずれか１つに記載の方法。
【請求項３２】
ポリヌクレオチドは、ＤＮＡ、ＲＮＡ、または両方の組み合わせである、ことを特徴とする請求項２８乃至３１のいずれか１つに記載の方法。
【発明の詳細な説明】
【技術分野】
【０００１】
本発明は、製品を選択するための方法および装置に関する。
【背景技術】
【０００２】
化粧品市場は大きく、多くのブランド、製品タイプ、多様な類似品に溢れている。最近の市場調査研究によると、２０１０年には、消費者は化粧品と美容製品にほぼ５３０億米ドルを費やしたことが分かった。入手可能な化粧品の選択が無数にあると当惑することもあり、製品の選択に対する個体の手法は、典型的には、以下の選択基準：ブランド、価格、包装の美観、指定された使用法、可能であれば事前の体験、および、小売店の店員からの販売情報のいずれかの組み合わせに基づくであろう。多くの場合、以前にその製品を体験したことがないと、個体に対する化粧品の有効性やアレルギーを誘発する可能性を示すために頼りにすることができる個体に応じた指導は（たとえあるとしても）ほとんど与えられない。
【０００３】
結果的に、試行錯誤する方法が化粧品を評価し購入するために消費者によってしばしば使用される。購入した製品が合わなかったり効果がなかったりした場合には、消費者はその製品を使うことをやめ、時としてその製品を廃棄して、損失や消費者の不満につながる。もっとひどい場合だと、特に敏感肌の人では、副作用のアレルギー反応が生じて、酷い発赤、腫れ、および／またはかゆみをもたらすこともあり、極端な場合では、命が脅かされることもある。
【０００４】
現在、化粧品の製造者、販売業者、および／または販売店は、潜在的な購入者の皮膚の状態の調査および分析の科学的手法を用いてこの問題に取り組んでいる。これが「現場で」（例えば、潜在的な購入者がいる店で）行われる場合、適切な製品および／または治療法について推薦するために、結果と結論が用いられる。しかしながら、現場での調査および分析は、現在のところ、個体の特徴の生理的な発現または症状に取り組むだけで、傾向または状態の根本的な遺伝的原因にいかなる洞察も投じるものではない。
【０００５】
「現場から離れた」検査（例えば、店から離れているとき、潜在的購入者がいないとき）は、個体の遺伝子型判定に基づいた調査を可能にし、これらの検査は現在のところ商業上利用可能である。しかしながら、離れた場所に個体の遺伝子材料を送る必要性は、個々人の遺伝子材料の保管と追跡に関する心配性な消費者の懸念を増大させかねない。さらに、新しい化粧品の販売の成功が相応しいタイミングで人のニーズと欲求が混在したものを満たすことによりしばしば助長されるということを考えれば、短い時間枠内に、かつ、潜在的な客の興味が続いている間に、製品案内のこのプロセスを行うことが重要である。客のニーズを見定めてそれに正確に応える際に、人柄が良く面と向かって案内および対応することができる店員を抱えることでも、客の満足度を達成する可能性は増加する。この点では、現場から離れて遺伝学的検査を行う必要のある既存の商業製品は、全プロセスを通して客との個体的な関わりを持ったり、維持したりすることはできない。
【０００６】
特許文献１は、従来の光学的なＰＣＲ手法を用いて、日よりもむしろ分の順序で、電子化学的手段によって一塩基多型（ＳＮＰ）遺伝子型判定を行うことができる、迅速な遺伝子型判定技術を開示している。
【先行技術文献】
【特許文献】
【０００７】
【特許文献１】ＧＢ  ２３８９４２４
【発明の概要】
【課題を解決するための手段】
【０００８】
本発明の第１の態様によれば、個体に適した製品を選択する方法が提供され、
該方法は、
・製品カテゴリーのあらかじめ決められたセットから製品カテゴリーを特定する工程であって、各製品カテゴリーが製品のセットに関連付けられる、工程、
・選択された製品カテゴリーに基づいて、利用可能なカートリッジタイプのセットから遺伝子検査カートリッジタイプを選択する工程であって、各カートリッジタイプがポリヌクレオチドサンプルの遺伝子型判定プロファイリングテストを行うために構成される、工程、
・個体からポリヌクレオチドサンプルを集める工程、
・選択された遺伝子検査カートリッジタイプの遺伝子検査カートリッジを使用して、前記ポリヌクレオチドサンプルの遺伝子型判定プロファイリングテストを行う工程、および、
・特定された製品カテゴリー内から製品を選択するために、前記遺伝子型判定プロファイリングテストの結果を用いる工程、を含む。
【０００９】
製品を選択するために前記遺伝子型判定プロファイリングテストの結果を用いる工程は、既知の代謝可能な化合物の群から１つ以上の代謝可能な化合物を選ぶために、前記遺伝子型判定プロファイリングテストの結果を用いる工程と、その後、１つ以上の選択された代謝可能な化合物の少なくとも１つを含む特定された製品カテゴリーから製品を選択する工程を含んでもよい。
【００１０】
１つ以上の代謝可能な化合物は、個体の代謝経路に対する既知の代謝可能な化合物の有効性を決定すること、および、最も高い有効性を備えた１つ以上代謝可能な化合物を選択することによって、選択されてもよい。
【００１１】
ポリヌクレオチドサンプルは、ＤＮＡ、ＲＮＡ、またはその両方の組み合わせを含んでもよい。
【００１２】
前記遺伝子型判定プロファイリングテストは、１つ以上の一塩基多型検査を含んでもよい。
【００１３】
前記製品は、スキンケア製品、化粧品、薬用化粧品、栄養化粧品（ｎｕｔｒｉｃｏｓｍｅｔｉｃ  Ｐｒｏｄｕｃｔ）、栄養補助食品、食品群、および農産物の１つであってもよい。
【００１４】
特定された製品カテゴリー内から製品を選択するために前記遺伝子型判定プロファイリングテストの結果を用いる前記工程は、テストの結果をルックアップキーとして用いて、特定された製品カテゴリーの製品データベースでルックアップを行う工程を含んでもよい。
【００１５】
製品カテゴリーを特定する前記工程は、販売時点端末のグラフィカル・ユーザー・インターフェースを用いて、販売時点端末に対する製品カテゴリーを特定する工程を含んでもよく、販売時点端末は、遺伝子検査カートリッジタイプを選択する工程と、特定された製品カテゴリー内から製品を選択するために、前記遺伝子型判定プロファイリングテストの結果を用いる工程を行い、選択は前記グラフィカル・ユーザー・インターフェースを介して端末のユーザーに表示される。
【００１６】
該方法は、製品の選択後に販売時点端末から、テストの結果のすべての記録を削除する工程を含んでもよい。
【００１７】
個体からポリヌクレオチドサンプルを集める前記工程は、個体または販売時点端末を使う販売員によって行われてもよく、個体または販売時点端末を使う販売員は、選択した型の遺伝子検査カートリッジに、集めたサンプルを適用する。
【００１８】
該方法は店舗内で実行されてもよい。
【００１９】
該方法は、前記個体からの質問書への回答を受け取り、遺伝子検査カートリッジタイプの選択および／または製品の選択において、前記回答を使用する工程を含んでもよい。
【００２０】
選択された遺伝子検査カートリッジタイプの前記遺伝子検査カートリッジは、関連する製品のセットの有効性を決定するように構成されてもよい。
【００２１】
製品カテゴリーを選択する前記工程は、
個体からポリヌクレオチドサンプルを集める工程、
遺伝子型判定プロファイリングテストを行うために遺伝子検査カートリッジを使用し、および、１つ以上の状態のそれぞれに対する個体の傾向を特定するために、遺伝子型判定プロファイリングテストの結果を用いる工程、および、
特定された傾向の任意の１つまたは組み合わせについて、関連する状態を潜在的に処置することができる製品カテゴリーを選択する工程、を含む。
【００２２】
該方法は、状態の傾向の特定および／または製品カテゴリーの選択において、個体に関して得られた追加の情報、例えば、ライフスタイル情報を使用する工程を含んでもよい。
【００２３】
前記遺伝子検査カートリッジは、使い捨ての一回用のカートリッジであってもよい。
【００２４】
本発明の第２の態様によれば、販売時点端末が提供され、
該販売時点端末は、
該販売時点端末に近いまたは該販売時点端末から離れたメモリーへのアクセスであって、該メモリーには、製品カテゴリーのセットと、製品カテゴリーに対してマッピングされる遺伝子検査カートリッジタイプのセットとを含む第１のデータベース、および、それぞれの製品カテゴリーについて、利用可能な製品のセットと、利用可能な製品に対してマッピングされた遺伝子型プロファイリングの一連の結果とを含む第２のデータベースに対するアクセス、
遺伝子検査カートリッジから検査結果を受け取るために、遺伝子検査カートリッジに販売時点端末を接続するためのインターフェース、
端末のユーザーから製品カテゴリーの確認を受け取るための、および、選択した製品をユーザーに表示するための、グラフィカル・ユーザー・インターフェース、および、
遺伝子検査カートリッジタイプを選択するために前記第１のデータベースをルックアップすべく製品カテゴリーの受け取られた確認を用いるための、前記インターフェースを介して検査結果を受け取るための、製品を選択するために前記第２のデータベース内のルックアップとして受け取った検査結果を用いるための、および、選択した製品をユーザーにグラフィカル・ユーザー・インターフェースで表示させるための処理エンティティ、を含む。
【００２５】
販売時点端末は、前記カートリッジタイプに属する遺伝子検査カートリッジのセットを保持するためのホルダーを含んでもよい。
【００２６】
前記処理エンティティは、選択された前記検査カートリッジタイプの検査カートリッジを前記ホルダーから運ぶために、前記ホルダーを制御するように構成されてもよく、前記ホルダーは、前記検査カートリッジを、それが前記インターフェースに接続される位置まで運んでもよい。
【００２７】
処理手段は、販売時点端末が配された店舗内で入手可能な製品を反映するために、前記第２のデータベースを更新させることが可能となるように構成されてもよい。
【００２８】
前記メモリーは、一連の状態の傾向と、前記状態の傾向に対してマッピングされた遺伝子型プロファイリングの一連の結果を含む第３のデータベースを保存してもよく、前記処理エンティティは、遺伝子検査カートリッジから検査結果を受け取るように、および、１つ以上の状態の傾向を特定すべく前記第３のデータベースに対するルックアップとして受け取った結果を用いるように構成されてもよい。
【００２９】
処理エンティティは、ライフスタイル情報などの個体について得られた他のデータと組み合わせて、前記第３のデータベースに対するルックアップとして受け取った結果を用いるように構成されてもよい。
【００３０】
前記処理エンティティはさらに、グラフィカル・ユーザー・インターフェースを介して、状態の傾向または各状態の傾向を表示するように構成されてもよく、それによって、その個体がかかりやすい状態を処置するのに適した製品カテゴリーの前記選択を容易にする。
【００３１】
前記メモリーは、第２のデータベースの製品中に見られる既知の代謝可能な化合物のセットを含むさらなるデータベースを保存してもよく、前記処理エンティティは、遺伝子検査カートリッジからユーザーの検査結果を受け取るように、および、ユーザーの代謝経路に関して前記の既知の代謝可能な化合物の１つ以上の有効性を測定すべく受け取った結果を用い、その後、ユーザーについて測定された代謝可能な化合物の有効性に基づいて第２のデータベースから製品を選択するように構成されてもよい。
【００３２】
第２のデータベース内の各製品は、スキンケア製品、化粧品、薬用化粧品、栄養化粧品、栄養補助食品、食品群、および農産物の１つであってもよい。
【００３３】
遺伝子検査カートリッジは使い捨ての一回用カートリッジであってもよい。
【００３４】
本発明の第３の態様によれば、個体に適した代謝可能な製品を選択する方法が提供され、
該方法は、
代謝可能な製品の代謝に関連した１つ以上の一塩基多型（ＳＮＰ）に、代謝可能な製品のセットのそれぞれをマッピングするデータベースを提供する工程、
客のポリヌクレオチドにおける前記データベース内で特定された個体のＳＮＰの存在に関して標的を絞った検査を行うために、ポリヌクレオチドプローブを用いて構成されたカートリッジと一緒に販売時点端末の場所でデータベースを利用可能にする工程、および、
データベースにさらなるマッピングを周期的に加え、前記さらなるマッピングに関連するＳＮＰの存在に関して標的を絞った検査を行うために、ポリヌクレオチドプローブを用いて構成された使い捨てのカートリッジと一緒に販売時点端末の場所で更新されたデータベースを利用可能にする工程、を含む。
【００３５】
代謝可能な製品は、化粧品、薬用化粧品、栄養化粧品、栄養補助食品、食品群、および農産物の１つであってもよい。
【００３６】
カートリッジは、綿棒サンプルまたは唾液サンプルからの客のポリヌクレオチドサンプルを受け入れるように構成されてもよく、使い捨てのカートリッジであってもよい。
【００３７】
ポリヌクレオチドは、ＤＮＡ、ＲＮＡ、または両方の組み合わせであってもよい。
【００３８】
製品は、販売用に包装された製品であってもよく、または、販売用に包装された製品内に含まれる活性成分（化合物）であってもよい。
【図面の簡単な説明】
【００３９】
【図１】本発明の実施形態に応じた客の一般的なサービスのサイクルを示している。
【図２】特定の製品が個体に適したものである可能性を増加させるためにガイダンスを提供する方法の工程を概説するフローチャートを示している。
【図３】検査カートリッジと接続するレコメンデーションエンジン（Ｒｅｃｏｍｍｅｎｄａｔｉｏｎ  Ｅｎｇｉｎｅ）の図による描写を示している。
【図４】本発明の実施形態によるレコメンデーションエンジンのブロック図である。
【図５】迅速な遺伝子型判定で使用される検査カートリッジのブロック図を示している。
【発明を実施するための形態】
【００４０】
図１は、本発明の実施形態に応じた客の一般的なサービスのサイクルを示している。サイクルの主たる構成要素は次のとおりである：
ｉ．客の情報がユーザーの質問表によって得られ、インターネットのクラウドサーバー上などの中央のデータベース内のユーザーデータベースにアップロード可能な、ユーザー登録、
ｉｉ．高齢化、炎症などの客の傾向などの客の重要な特徴を決定するための初期の遺伝子型プロファイリング、および、
ｉｉｉ．化粧品のセットに対する客の反応は、有効性およびアレルギー性反応の観点から、化粧品中に存在する特定の化合物に対する客の反応を特徴づける一連の既知のＳＮＰ変異に対して客をプロファイリングすることにより、客の遺伝子型をさらに捕捉し分析することで予想される。この最終的な工程は、推奨された化粧品の適合性を評価したいと客が希望するたびに、繰り返されてもよい。
【００４１】
肌の健康の観点から、ユーザーの皮膚を改善することを標的とした化粧品を例にとると、健康な皮膚を維持する多くの重要な柱がある。健康な肌に影響を与える因子は一般に、これらの柱に従ってグループ化されてもよい。重要な柱は次のとおりである：
１．活性酸素種の中和
２．表皮の免疫防御
３．コラーゲン強化
４．保湿／水和
５．栄養および酸素負荷
６．デトックス
【００４２】
それぞれの柱については、皮膚の健康をもたらす因子は、表現型（例えば、環境による）と遺伝子型（すなわち、遺伝による）の両方の貢献を含んでもよい。
【００４３】
肌の健康の特定の柱に使用される個体ユーザーの表現型の特徴の原因である発現因子は、客の質問表に対する回答から決めることができる。１つの例において、質問表は意見を集約したものとして提示可能であり、回答者はそれぞれの意見にどの程度賛成するかを、０から５の段階で評価しなければならない。意見書は専門家のアドバイスを協議したうえで注意深くかつ慎重に構築されることで、１つ以上の重要な柱に関して個体の肌の健康が正確に評価される。
【００４４】
一貫性を保証するために、肌の健康状態のそれぞれの柱へ対する意見書の各々の影響は、表１で例証されるように、１つの行列内で定量化されて並べられてもよい。
【００４５】
個体の質問表への回答に基づいて、個体の肌の健康状態のそれぞれの柱についての定量的評価を数学的にモデル化して導き出すことが可能である。その後、個体の肌の健康状態は、｛Ｑｐ１、Ｑｐ２、…、Ｑｐ６、Ｑａ１｝と数学的に特徴づけられてもよく、このとき、ＱｐｎとＱａ１はそれぞれ、肌の健康状態とアレルギー性反応のそれぞれの合計スコアである。スコアがゼロのときは理想的な健康な肌であることを示し、ゼロよりも大きな任意のスコアは肌の健康の欠如を示している。
【００４６】
サービスのサイクルの次の段階は、客の質問表を用いて生成された表現型のプロファイルに類似する個体の遺伝子型プロファイルを構築することである。しかしながら、特定の意見に対する個体の応答に基づいたスコアの代わりに、スコアは、肌の健康状態を調節する一連の重要な遺伝子に関して個体の遺伝子型によって決定される。遺伝子型判定手順に含められる重要な遺伝子の各々については、肌の健康状態の重要な柱のそれぞれに対するその影響が、行列内であらかじめ分析され示されている。例えば、遺伝子ＭＭＰ１は、コラーゲン補強に対して大きな影響を与え、栄養と酸素負荷にはある程度の影響を与えることもあるが、皮膚の水和には最小の影響しか与えないこともある。他の重要な遺伝子については、異なる柱へのそれらの影響はもちろん異なるであろう。その違いは行列を使用して定量的に関連づけられる。行列の例が表２に示される。
【００４７】
行列中の値は、クラウドサーバーのインターネット上に保存されてもよく、データの一貫性の値を最大限にするためにまれに更新されるだけである。
【００４８】
肌の健康のそれぞれの柱に関する遺伝子型に基づく個体のプロファイルは、あらかじめ計算された行列とその人の遺伝子型（異型接合性を含む）に基づいて計算されてもよい。この方法では、遺伝子型に基づいた重要な柱のそれぞれに関する個体の肌は、｛Ｇｐ１、Ｇｐ２、…、Ｇｐ６、Ｇａ１｝と数学的に特徴づけられてもよく、このとき、ＧｐｎとＧａ１はそれぞれ、肌の健康とアレルギー性反応のそれぞれの柱の合計スコアである。スコアがゼロのときは理想的な健康な肌であることを示し、ゼロよりも大きな任意のスコアは肌の健康欠乏のレベルを示している。
【００４９】
ＳＮＰのそれぞれの選択と一致する化粧品の数を考慮すると、化粧品の様々なブランドや小売店が製品の適合性を決定するために客の遺伝子構造を使用して客を検査する多くの方法がある。客の遺伝子情報は、例えば、口腔粘膜検体採取、唾液サンプル、血液検査、あるいは、類似した方法によって抽出され、その後、分析され、そのＳＮＰがコードする予想される表現型の特徴に対してマッピングされる。これらの工程は現場で行われ、客の遺伝子情報のいずれも送信されず、保存されない。客に遺伝子情報を直接提供するよりもむしろ、検査の結果は、推奨された化粧品製品に対する客の適合性の分析である。例えば、客は、自分が乾燥肌のための傾向を有しており、スキンクリームを使用することを考慮すべきだと言われることもある。従って、遺伝子情報の同じセットが、スキンクリームの利用可能なセット内の様々な化粧品ブランドおよび製品に対する適合性を確認するために、繰り返し検査されてもよい。
【００５０】
この系の第１の焦点は、特定の個体に対して肌の健康を改善／強化することを標的とする特定のスキンケア／化粧品の有効性とアレルギー性反応を一致させることであると想定される。しかしながら、美観的機能のためだけの化粧品、または、薬用化粧品、栄養化粧品、栄養補助食品、食品群、および／または農産物に関して、特定の個体に対する潜在的なアレルギーの危険性を特定するためにのみ、そのような系が使用されることは、等しく起こり得る。
【００５１】
ほとんどの化粧品／スキンケア製品は、製品と支持バルク化合物を標的とするおよび／または売りとする機能の原因となる１つ以上の活性化合物を含む。化粧品中の活性化合物は一般に、個体の固有の能力を強化するという観点から、上に記載された肌の健康の柱の１つ以上を標的とする。皮膚科学製品中の活性成分といった化合物の使用の情報は、経験的に得ることができるか、または、化粧品に付随する印刷物から入手可能である。さらに、各化合物（活性でありかつ大量である）については、その化合物による炎症の相対的な危険性が、実験室での検査を介して経験的に得られた結果から、あるいは、既存の公表された結果を介して定量化可能である。
【００５２】
従って肌の健康の柱のそれぞれに対するそれぞれの化合物／試薬の定量的効果と、関連する炎症の危険性を評価する行列を照合することができ、その一例が表３に示される。
【００５３】
表３の例において、化合物ＮＩＡ−１１４、アザチオプリン、ａａａ、およびｂｂｂは、肌の健康に影響を与える活性化合物であり、化合物ｃｃｃおよびｄｄｄは、肌の健康に対する影響はほとんどないがアレルギー性反応を誘発するバルク化合物である。すべての成分化合物と標準体積に対するその相対的な濃度が知られている限り、そのような行列で、その化合物の集合体としてスキンケアによる健康の１つ以上の柱を達成することを目的とする任意のスキンケア／化粧品製品の有効性について、対応する数値スコアを定量的に評価および提供することができる式を数学的にモデル化して導き出すことが可能である。同様に、スキンケア製品／化粧品の所定の類似する基準と入力への製品のアレルギー性反応をモデル化することも可能である。
【００５４】
１つの例では、ｐ１に対する製品の総効果は、以下によってモデル化されてもよい。
【００５５】
【化１】
2014525094.tif 000003
【００５６】
総アレルギー性反応は以下によってモデル化されてもよい。
【００５７】
【化２】
2014525094.tif 000004
【００５８】
例えば、遊離基（ｐ１）を中和することを標的としたスキンケア製品は、０．０５、０．１、０．４、および０．７の標準濃度をそれぞれ有する化合物ｒ１、ｒ２、ｒ５、およびｒ６を含んでもよい。ｐ１に対する製品の影響は、したがって次のように推定される。
【００５９】
【化３】
2014525094.tif 000005
【００６０】
同様に、製品のアレルギー性反応は次のように推定される。
【００６１】
【化４】
2014525094.tif 000006
【００６２】
それぞれの製品について、｛Ｅｐ１、Ｅｐ２、…、Ｅｐ６、Ｅａ１｝で、皮膚の健康のそれぞれの柱に関するその有効性を定量的に特徴づけることが可能であり、このとき、ＥｐｎとＥａ１はそれぞれ、皮膚の健康およびアレルギー性反応のそれぞれ柱の総合計スコアである。スコアがゼロのときは特定の欠乏に対する最少スコアを示しており、ゼロよりも大きな任意のスコアは有効性のレベルを定量的に示している。
【００６３】
そのような手法を使用すると、レコメンデーションシステム内のそれぞれのスキンケア製品は、肌の健康のそれぞれの柱および／または潜在的なアレルギーの危険の順に採点してランク付けすることができる。ユーザーの肌の健康の特徴がユーザーの質問表と遺伝子型プロファイリングを介して先に決定されたと仮定すると、個体に特異的な最適なスキンケア製品または化粧品のリストは、以下の式を最小化することによって決定されてもよい。
【００６４】
【化５】
2014525094.tif 000007
【００６５】
言いかえれば、特定の個体に最適な製品は、Ｑｐｎ＋Ｇｐｎによって定量化されるようなユーザーの特徴が、その製品の肌の健康の特定の柱、Ｅｐｎに関する有効性のレベルによってもっとも一致する、製品である。
【００６６】
理想的には、特定の製品は示されたように作用し、所望の効果を提供するであろう。しかしながら、機序経路における活性成分の作用／代謝に影響を与えることもあるＳＮＰ変異の発生により、それらの成分の有効性は完全にまたは部分的に減少することもある。特定の個体に対する製品の有効性を評価し、製品に対するアレルギー反応の危険性を予想するために、遺伝子型判定手段を使用することが、サービスサイクルの第３段階の目的である。遺伝子型における変異による特定の製品の効果の調節は、有効性係数γｐｎによって特徴づけられてもよく、それによって、肌の健康の柱に関する製品の実際の補整効果はγｐｎＥｐｎである。従って、実際には、上記の式（３）は以下のように修正されなければならない。
【００６７】
【化６】
2014525094.tif 000008
【００６８】
サービスのライフサイクルの第３段階で行われた遺伝子型判定は、肌の健康の重要な柱のそれぞれについて、γｐｎの値を決定することに焦点を当てる。その有効性における活性成分の効力に対する突然変異の効果により、既知の肌の健康特徴を持った特定のユーザーの特定の肌の健康目標についてうまくいくと予想されるスキンケア製品は、実際にはさほどうまくは機能しない。様々な潜在的に適切な製品の有効性に対するそのような変異の影響を決定することによって、前記製品への適合性がさらに正確に評価されることもある。図２は、特定のスキンケア製品が個体に適したものである可能性を有意に増加させるために、このプロセスに客観的なガイダンスを提供する方法を記載するフローチャートを示している。これは、個体の遺伝子材料内でコードされる特定の特徴を解明すること、および、適切な化粧品のごく少量のサブセットを提示する化粧品とその構成成分のデータベースに、特徴を一致させることによって、達成される。
【００６９】
１つの実施形態では、この方法は、カスタム設計されたソフトウェアおよびハードウェアデバイスパッケージ（レコメンデーションエンジン（ＲＥ））を用いて、小売店の潜在的な客にふさわしい適切な化粧品を販売・特定する状況を想定している。ＲＥは、図３に示されるように、検査カートリッジ（ＴＣ）と接続するためのスロットを含んでいる。ＲＥとＴＣを構築する重要な機能ブロックが図４と図５にそれぞれ描かれている。一般に、入手可能な多くの様々なＴＣがあり、様々なＴＣのそれぞれはＳＮＰの異なる選択を検査する。ＴＣは一般に一回用および／または使い捨てのカートリッジになるであろう。
【００７０】
工程１の図２を再度参照すると、消費者は、興味のあるスキンケア製品（例えば、老化防止マスクまたは美白クリーム）の種類および性質についての意見を提供してもらうように依頼される。昔ながらの小売店という状況では、小売店で入手可能な化粧品の数は制限されることが多く、その入手可能な製品の範囲内で、関連する遺伝学的適合性検査を伴った化粧品は、関連する遺伝学的適合性検査を伴ったすべての化粧品のサブセットを含むこともある。販売時点端末の現場は、店舗または小売店のキオスクであると予想される。
【００７１】
工程２では、知られてはいるものの化粧品の選択のガイドに適切だとは明らかになっていない多くのＳＮＰとＳＮＰのアレイとがあり、迅速な検査を行う携帯用の検査環境のなかで（すなわち、ＲＥ）一度に遺伝子を同定可能なＳＮＰの数に制限があるため、検査されるＳＮＰの適切な選択を示唆するためにアルゴリズムが用いられる（すなわち、アルゴリズムは、どのＴＣを使用するかを決定するために使用される）。アルゴリズムは、工程１で消費者が指定した要望と、同様に、小売店で利用可能なＴＣの種類と前記小売店で利用可能なスキンケア製品の選択とに基づいて、包括的なＳＮＰ検査からの選択を可能にする。それぞれのＴＣは通し番号でコード化され、通し番号は、一部がＴＣ内で検査されるＳＮＰの種類を示す、英数字の文字列などの記号列を含むことができる。前記のとおりに示すコード部分に基づいて、ＴＣで検査されたＳＮＰの特徴および特性は、世界的に利用可能なあらゆる可能なＳＮＰおよびＳＮＰ構造についての情報を含むＴＣカタログ・データベース内でルックアップされる。高度な実施形態では、選択アルゴリズムは、限定されないが、（新しい製品のセットを提供するために）実施された以前の検査、販売促進で利用可能な製品、および、同様の特徴を有する他の客が購入して役に立つと分かった人気製品を含む、多くの他の因子の影響を受けることもある。
【００７２】
工程３では、口腔粘膜検体採取または唾液サンプルなどからの客の遺伝子材料が得られ、選択された遺伝ＴＣ上の化学的に活性なセンサーに接して置かれる。遺伝子材料は、ＤＮＡ、ＲＮＡ、または両方の組み合わせを含むポリヌクレオチドサンプルを包含している。
【００７３】
工程４では、ＴＣはＲＥに挿入され、特定および構成のハンドシェイク交換プロトコル（ａｎ  ｉｄｅｎｔｉｆｉｃａｔｉｏｎ  ａｎｄ  ｃｏｎｆｉｇｕｒａｔｉｏｎ  ｈａｎｄｓｈａｋｅ  ｅｘｃｈａｎｇｅ  ｐｒｏｔｏｃｏｌ）がＲＥとＴＣの間で行われる。このハンドシェイクプロトコル内では、ＴＣの種類は適切なＴＣの通し番号コード部分によってＲＥに伝えられる。ひとたびこのハンドシェイクが完了すると、迅速なＳＮＰ遺伝子型判定がＴＣ内で行われ、サンプルがＴＣ内に置かれて数分以内に、その結果がＲＥに電気的に送信される。ＴＣは、１つ以上の特定のＳＮＰの存在について標的とした検査を行うために、ポリヌクレオチドプローブを用いて構成される。
【００７４】
工程５では、遺伝子型判定からの結果は、ＴＣからＲＥによって受け取られるとともに、適切なＴＣの通し番号のコード部分でＴＣカタログ・データベースの問い合わせを行うことによって、各々がＳＮＰとＳＮＰの検査結果のタプルを含む特定のパラメータに翻訳される。その後、アルゴリズムは、特徴的な特性（ｃｈａｒａｃｔｅｒｉｓｔｉｃ  ｔｒａｉｔｓ）とそれらの対応する値の一連のタプルの出力を提供するために、特徴的な特性と特定の特性に対応するスコアへと変数をマッピングするために使用される。その出力は特徴的な特性表（ｃｈａｒａｃｔｅｒｉｓｔｉｃ  ｔｒａｉｔｓ  ｔａｂｌｅ）と呼ばれる。ＴＣのそれぞれの種類に関しては、個体の検知された遺伝子型に由来する値を備えた特徴的な特性表がある。
【００７５】
工程６では、特徴的な特性表は、工程１で示された所望の化粧品の範囲と客の遺伝子型情報とに基づいて、推奨される製品のサブセットリストを小売店で入手可能な化粧品のリストから選択するために、化粧品のデータベースに適用される適切なデータベース問い合わせ言語（ＳＱＬなど）でクエリーを構造化するために使用される。クエリーは、ＲＥ内に包含されるローカルデータベースまたはリモートデータベースに提示されてもよい。後にデータベースクエリーのフィルター値として用いられる特徴的な特性表にＳＮＰ反応を変換することによって、リモートサーバーにすべての可能な化粧品のデータベースをオフロードするとともに、前記個体の遺伝子構造を特定するために使用可能な情報を送信することなく、リモートサーバーでクエリーを実行することができる。このことは、それが、複雑な暗号化方式に頼る必要なく、いかなる個体の遺伝子情報もシステムから漏れることはないという高い信頼度を保証する際に望ましい。したがって、客の遺伝子情報のデータの完全性およびセキュリティに関する、サービス・プロバイダーから客への面倒な保証も必要ない。
【００７６】
工程７では、推奨された製品の選択されたリストがＲＥに表示され、客に提示される。高度な実施形態では、個体に対する製品の適合性に比例する推奨スコアが、推奨された製品のそれぞれについて表示される。その後、リストは、限定されないが、推奨された製品の価格、そのブランド、および適合性スコアを含む様々なパラメータに従って分類されてもよい。
【００７７】
工程８で、ＴＣはＲＥから取り除かれて廃棄されてもよく、その一方で、「ハウスキーピング処理」タスクは、客のデータベースを更新するために、および、次の客／検査様にそれ自体をリセットするために、ＲＥによって行われる。
【００７８】
遺伝子検査の性能は、遠隔の実験室に消費者の遺伝サンプルを送る必要なく、携帯型デバイス中で現場で行われる。さらに、検査カートリッジが一度用いられ、検査後に廃棄されるため、これは、遺伝子情報の保管や追跡による個体のプライバシーの侵害の危険性がないということ消費者に強く保証するものである。
【００７９】
本発明の範囲を逸脱することなく上記の実施形態に対して様々な改良がなされてもよいということが当業者に理解されよう。
【００８０】
【表１】
2014525094.tif 000009
【００８１】
【表２】
2014525094.tif 000010
【００８２】
【表３】
2014525094.tif 000011
【図１】
2014525094.tif 000012
【図２】
2014525094.tif 000013
【図３】
2014525094.tif 000014
【図４】
2014525094.tif 000015
【図５】
2014525094.tif 000016
【国際調査報告】
2014525094.tif 000017
2014525094.tif 000018
2014525094.tif 000019
2014525094.tif 000020
2014525094.tif 000021
2014525094.tif 000022